(57)【要約】      （修正有）【課題】  室外ユニットからの電源の繋ぎ線の有無に関わらず室内ユニットを交換してもユニット間の繋ぎ既設配線を活用できるようにした空気調和機の配線接続構造を提供する。【解決手段】室外ユニットと室内ユニットからなり、互いのユニットが繋ぎ配線を介して接続される空気調和機の配線接続構造において、電源中継接続部が、室外ユニットの電源又は室外ユニット以外の外部電源のいずれか一方と選択接続できるように室内ユニットの電源回路内に設けられ、室外ユニットからの繋ぎ配線の電源繋ぎ線の有無に関わらず室内ユニットを交換しても繋ぎ配線の既設配線を活用できるようにしたものである。【選択図】図１
2005106295.tif 000002
【特許請求の範囲】
【請求項１】
室外ユニットと室内ユニットからなり、互いのユニットが繋ぎ配線を介して接続される空気調和機の配線接続構造において、電源中継接続部が、前記室外ユニットの電源又は前記室外ユニット以外の外部電源のいずれか一方と選択接続できるように前記室内ユニットの電源回路内に設けられ、前記室外ユニットからの前記繋ぎ配線の電源繋ぎ線の有無に関わらず前記室内ユニットを交換しても前記繋ぎ配線の既設配線を活用できるようにしたことを特徴する空気調和機の配線接続構造。
【請求項２】
前記電源中継接続部が、前記室外ユニットの電源回路に前記繋ぎ配線を介して接続された室外機用電源接続部と、前記室外ユニット以外の外部電源回路に前記繋ぎ配線を介して接続された外部用電源接続部と、この外部用電源接続部又は前記室外機用電源接続部のいずれか一方と脱着自在に接続され、前記室内ユニットの電源回路に配線で連絡された室内電源接続部と、を具備したことを特徴する請求項１に記載の空気調和機の配線接続構造。
【請求項３】
前記電源中継接続部が、前記室外ユニットの電源回路に前記繋ぎ配線を介して接続された室外機用接続接続部と、前記室外ユニット以外の外部電源回路に前記繋ぎ配線を介して接続された外部用電源接続部と、この外部用電源接続部又は前記室外機用電源接続部のいずれか一方を脱着自在に装着して前記室内ユニットの電源回路に配線で連絡された室内電源接続部と、前記外部用電源接続部又は前記室外機用電源接続部のいずれか一方のその他方を脱着自在に装着するダミー接続部と、を具備したことを特徴する請求項１に記載の空気調和機の配線接続構造。
【請求項４】
前記室内電源接続部がピン状の差込み構造からなり、前記外部用電源接続部又は前記室外機用電源接続部とワンタッチで差換え接続できるように構成されたことを特徴する請求項１から３までのいずれかに記載の室内ユニットの配線接続構造。
【請求項５】
前記外部用電源接続部と前記室外機用電源接続部がそれぞれ識別できるように互いに異なった色又は識別符号を有することを特徴する請求項１から４までのいずれかに記載の室内ユニットの配線接続構造。
【請求項６】
前記室内電源接続部の電圧を検出する電圧検出手段と、この電圧検出手段の検出結果に基づいて前記室内電源接続部への電圧供給有無を知らせる告知手段と、を具備したことを特徴する請求項１から５までのいずれかに記載の空気調和機の配線接続構造。
【発明の詳細な説明】
【技術分野】
【０００１】
この発明は、既設工事配線を活用して室内ユニットと室外ユニットとを配線接続する空気調和機の配線接続構造に関するものである。
【背景技術】
【０００２】
従来の室内ユニットの配線接続構造においては、既設の室外ユニットと室内ユニットのいずれか一方が寿命等で故障し、新しいスペックの室外ユニットや室内ユニットに置き変える時、互いの新旧ユニットのスペックが同じ時は、問題は生じないものの、一般的に、寿命期間を挟んだ新旧ユニットのスペックは技術の進歩の関係から必然的に異なり、その結果、交換ユニット間のスペックが相違して、ユニット間の繋ぎ配線の本数や太さが相違するため、室内外ユニット間を接続する通信配線や電源配線等の既設の繋ぎ配線も新規に変えなければならなかった。
（特許文献１参照）
【０００３】
【特許文献１】特開７−２９３９３０号公報（第３頁〜４頁、図１〜図６）
【０００４】
即ち、例えば、図６の如く、既設の室外ユニット１０と既設の室内ユニット２２が通信配線のみの２本で結ばれ、室内ユニット２２の電源配線が室外ユニット以外の外部電源に２本の線で接続された配線構造において、この既設の室外ユニット１０又は室内ユニット２２の一方が寿命故障し、図５のような通信配線と電源配線とを３本線で構成した繋ぎ配線の工事性の良い室外ユニット１又は室内ユニット２０に交換する時、室内外ユニット間を接続する繋ぎ配線本数やその太さが相違するため、既設の繋ぎ配線も新規なものに変えなければならなかった。
【０００５】
また逆に、通信配線と電源配線とを３本線の繋ぎ配線で構成した既設の室外ユニット１と室内ユニット２０が寿命故障し、通信配線のみの細い２本の配線で結ばれた室外ユニット１０又は室内ユニット２２に交換する時も、同様に、室内外ユニット間を接続する繋ぎ配線本数やその太さが相違するため、新規な繋ぎ配線に変えなければならなかった。
【０００６】
即ち、一般的に、室内外ユニット間を通信配線と電源配線からなる３本線の繋ぎ配線で接続する時は、電源ノイズが通信配線に入らないようにするため、丸形３芯線を用いず、平形３芯線を用い、また、室内外ユニット間が２芯の通信配線のみので接続されている時は、通電電圧が低いため、電源配線よりも細い配線を用いてコストを下げるのが一般的なやり方であるから、益々、新規な繋ぎ配線に変えなければならないこととなる。
【発明の開示】
【発明が解決しようとする課題】
【０００７】
以上説明したように、従来の空気調和機の配線接続構造においては、既設の室内外ユニットが寿命故障し、新しいスペックの室内外ユニットに変える時は、既設の室内外ユニット間を接続している既設の繋ぎ配線本数が変わったり、その既設の繋ぎ配線の太さも電源線と通信線では変るため、既設の繋ぎ配線も変えなけばならいこととなり、工期や工費がかかるなどの問題点があった。
【０００８】
この発明は、上記のような問題点を解決するためになされたもので、室内外ユニットを交換する時、室内外ユニット間の既設繋ぎ配線の本数や太さ形状が変化しても、室内外ユニット間を接続できる経済的な空気調和機の配線接続構造を提供することを目的とする。
【課題を解決するための手段】
【０００９】
この発明に係る空気調和機の配線接続構造においては、室外ユニットと室内ユニットからなり、互いのユニットが繋ぎ配線を介して接続される空気調和機の配線接続構造において、電源中継接続部が、前記室外ユニットの電源又は前記室外ユニット以外の外部電源のいずれか一方と選択接続できるように前記室内ユニットの電源回路内に設けられ、前記室外ユニットからの前記繋ぎ配線の電源繋ぎ線の有無に関わらず前記室内ユニットを交換しても前記繋ぎ配線の既設配線を活用できるようにしたものである。
【００１０】
また、前記電源中継接続部が、前記室外ユニットの電源回路に前記繋ぎ配線を介して接続された室外機用電源接続部と、前記室外ユニット以外の外部電源回路に前記繋ぎ配線を介して接続された外部用電源接続部と、この外部用電源接続部又は前記室外機用電源接続部のいずれか一方と脱着自在に接続され、前記室内ユニットの電源回路に配線で連絡された室内電源接続部と、を具備したものである。
【００１１】
また、前記電源中継接続部が、前記室外ユニットの電源回路に前記繋ぎ配線を介して接続された室外機用接続接続部と、前記室外ユニット以外の外部電源回路に前記繋ぎ配線を介して接続された外部用電源接続部と、この外部用電源接続部又は前記室外機用電源接続部のいずれか一方を脱着自在に装着して前記室内ユニットの電源回路に配線で連絡された室内電源接続部と、前記外部用電源接続部又は前記室外機用電源接続部のいずれか一方のその他方を脱着自在に装着するダミー接続部と、を具備したものである。
【００１２】
また、前記室内電源接続部がピン状の差込み構造からなり、前記外部用電源接続部又は前記室外機用電源接続部とワンタッチで差換え接続できるように構成されたものである。
【００１３】
また、前記外部用電源接続部と前記室外機用電源接続部がそれぞれ識別できるように互いに異なった色又は識別符号を有するものである。
【００１４】
また、前記室内電源接続部の電圧を検出する電圧検出手段と、この電圧検出手段の検出結果に基づいて前記室内電源接続部への電圧供給有無を知らせる告知手段と、を具備したものである。
【発明の効果】
【００１５】
以上説明したように、この発明においては、室外ユニットと室内ユニットからなり、互いのユニットが繋ぎ配線を介して接続される空気調和機の配線接続構造において、電源中継接続部が、前記室外ユニットの電源又は前記室外ユニット以外の外部電源のいずれか一方と選択接続できるように前記室内ユニットの電源回路内に設けられ、前記室外ユニットからの前記繋ぎ配線の電源繋ぎ線の有無に関わらず前記室内ユニットを交換しても前記繋ぎ配線の既設配線を活用できるようにしたので、室内外ユニットを交換する時、室内外ユニット間の既設繋ぎ配線の本数や太さ形状が変化しても、既設繋ぎ配線を利用して室内外ユニット間を接続できる経済的な空気調和機の配線接続構造が得られる。
【００１６】
また、前記電源中継接続部が、前記室外ユニットの電源回路に前記繋ぎ配線を介して接続された室外機用電源接続部と、前記室外ユニット以外の外部電源回路に前記繋ぎ配線を介して接続された外部用電源接続部と、この外部用電源接続部又は前記室外機用電源接続部のいずれか一方と脱着自在に接続され、前記室内ユニットの電源回路に配線で連絡された室内電源接続部と、を具備したので、室外ユニットからの電源繋ぎ線の有無に関わらず繋ぎ配線３の既設配線を活用して新しい室内ユニット２に交換できるようにしたので、空気調和機をリプレースする場合に、繋ぎ配線を新しく配設する必要がなくなるため、工期や工費を大幅に縮減した空気調和機の配線接続構造が得られる。
【００１７】
また、前記電源中継接続部が、前記室外ユニットの電源回路に前記繋ぎ配線を介して接続された室外機用電源接続部と、前記室外ユニット以外の外部電源回路に前記繋ぎ配線を介して接続された外部用電源接続部と、この外部用電源接続部又は前記室外機用電源接続部のいずれか一方を脱着自在に装着して前記室内ユニットの電源回路に配線で連絡された室内電源接続部と、前記外部用電源接続部又は前記室外機用電源接続部のいずれか一方のその他方を脱着自在に装着するダミー接続部と、を具備したので、室外ユニットからの電源繋ぎ線の有無に関わらず繋ぎ配線３の既設配線を活用して新しい室内ユニット２に交換できるようになるため、空気調和機をリプレースする場合に、繋ぎ配線を新しく配設する必要がなくなるため、工期や工費を大幅に縮減した空気調和機の配線接続構造が得られる。
【００１８】
また、前記室内電源接続部がピン状の差込み構造からなり、前記外部用電源接続部又は前記室外機用電源接続部とワンタッチで差換え接続できるように構成されたので、配線接続の容易な空気調和機の配線接続構造が得られる。
【００１９】
また、前記外部用電源接続部と前記室外機用電源接続部がそれぞれ識別できるように互いに異なった色又は識別符号を有するので、配線接続の容易な空気調和機の配線接続構造が得られる。
【００２０】
また、前記室内電源接続部の電圧を検出する電圧検出手段と、この電圧検出手段の検出結果に基づいて前記室内電源接続部への電圧供給有無を知らせる告知手段と、を具備したので、配線工事誤りの有無が解る使い勝手の良い空気調和機の配線接続構造が得られる。
【発明を実施するための最良の形態】
【００２１】
実施の形態１．
以下、この発明の実施の形態１について図１および図２を用いて説明する。なお、図１はこの発明の実施の形態１における室内外ユニット間を電源繋ぎ線と通信繋ぎ線で結んだ空気調和機の配線接続構造の概略構成図であり、図２はこの発明の実施の形態１における室内外ユニット間を通信繋ぎ線のみで結んだ空気調和機の配線接続構造の概略構成図である。
これらの図において、１は室外ユニットであり、１ａは室外ユニット１の室外電源出力端子であり、１ｂは室外ユニット１の室外側通信出力端子であり、１ｃは室外ユニット１の電源回路であり、１ｄは室外ユニット１の室外側通信回路である。
【００２２】
また、２は室内ユニットであり、２ａは室内ユニット２の室内側電源入力端子であり、２ｂは室内ユニット２の室内側通信入力端子であり、２ｃは室内ユニット以外の外部電源が接続される室内側外部入力端子であり、２ｅはこの室内側外部入力端子２ｃに接続された電源中継接続部としての外部用電源接続部であり、２ｄは前述の室内側電源入力端子２ａに接続された電源中継接続部としての室外機用電源接続部である。
【００２３】
また、３は室内外ユニット１，２間を繋ぐ繋ぎ配線であり、３ａはこの繋ぎ配線３の室外側通信出力端子１ｂと室内側通信入力端子２ｂとを繋ぐ通信用繋ぎ配線であり、３ｂは室外電源出力端子１ａと室内側電源入力端子２ａとを繋ぐ電源用繋ぎ配線であり、３ｃは図２に示す如く、室内ユニット以外の外部電源と室内側外部入力端子２ｃを繋ぐ外部電源用繋ぎ配線である。
なお、電源用繋ぎ配線は電圧の関係から通信用繋ぎ配線よりも太いのが一般的であり、また、図１の如く、電源用繋ぎ配線３ｂと通信用繋ぎ配線３ａがコモン配線を共用して一体化された３本線のものは平形３芯線を用いるのが電源ノイズの関係から一般的である。
【００２４】
また、４は室内ユニット２の室内電気回路の電源回路であり、４ａはこの室内電気回路の電源回路４に設けられ、電源中継接続部の室外機用電源接続部２ｄ又は外部用電源接続部２ｅのいずれか一方に選択接続されて室内ユニット２の電源回路４へ電源を供給する電源中継接続部の室内電源接続部であり、８は室内側通信入力端子２ｂに接続された通信回路であり、８ａはその通信回路の通信回路接続部である。
【００２５】
また、５は室外ユニット１以外の外部電源であり、５ｃはこの外部電源の電源出力端子で、６は室内電気回路に接続されて制御される各種機器であり、７は室内電源接続部４ａの電圧状態を告知する告知手段であり、７ａはこの告知手段７へ室内電源接続部４ａの電圧を検出して送信する電圧検出手段である。
【００２６】
次に、このように構成された室内ユニットと室外ユニットとの間の既設配線を活用して空気調和機をリプレースする動作について説明する。
まず、この発明の室内ユニット２は、前述したように、電源中継接続部は、室外ユニット１の電源回路１ｃに既設の電源用繋ぎ配線３ｂを介して接続された室外機用電源接続部２ｄと、室外ユニット以外の外部電源５の回路に既設の外部電源用繋ぎ配線３ｃを介して接続された外部用電源接続部２ｅと、この外部用電源接続部２ｅ又は室外機用電源接続部２ｄのいずれか一方と脱着自在に選択接続でき、室内ユニット２の電源回路に配線で連絡された室内電源接続部４ａとからなるので、例えば、図５のような通信配線と電源配線３本線の繋ぎ配線３で接続された既設の室内外ユニットのうち、室内ユニット２０が寿命故障して、新スペックの室内ユニット２に交換する時は、図１の如く、既設配線の本数とその太さ・形状も変わらないので、そのまま室内ユニットのみを交換した後、この室内ユニットの室内側電源入力端子２ａ及び室内側通信入力端子２ｂに既設の通信及び電源の繋ぎ配線３ａ，３ｂからなる３芯の繋ぎ配線３を接続して空気調和機を運転することになる。
【００２７】
何故なら、この時、図１の如く、室内電源接続部４ａは室内ユニット２の室内側電源入力端子２ａに接続された室外機用電源接続部２ｄに接続されて製品出荷されているので、電源中継接続部の接続回路を弄くる必要がない。
また、室外ユニット１が寿命故障した時は、同じ電源回路付スペックの室外ユニット１に交換した後、室外ユニット１の室外電源出力端子１ａ及び室外側通信出力端子１ｂに既設の平形３芯繋ぎ配線３を接続して空気調和機を運転することになる。
【００２８】
次に、図６のような室内外ユニット間の繋ぎ線が通信配線のみからなり、室内ユニット２２の電源を室外ユニット以外の外部電源５から取っている既設の室内外ユニットのうち、室内ユニット２２が寿命故障して、新スペックの室内ユニット２に交換する時は、図２の如く、既設配線の本数とその太さ・形状は変わらず、室内ユニット２の電源接続回路のみが変わっているので、室内ユニット２を交換した後、室外機用電源接続部２ｄと接続されていた室内電源接続部４ａを室外機用電源接続部２ｄから取外し、外部用電源接続部２ｅに接続変更した後、室内ユニット２の室内側通信入力端子２ｂ及び外部電源入力端子２ｃに既設の２芯の通信用及び電源用繋ぎ配線３ａ、３ｃをぞれぞれ接続して空気調和機を運転することになる。
【００２９】
また、室外ユニット１０が寿命故障した時は、同じ外部電源スペックの室外ユニット１０に交換した後、室外ユニット２の室外側通信出力端子１ｂ及び外部電源出力端子５ｃに既設の２芯の各繋ぎ配線３ａ、３ｃをそれぞれ接続して空気調和機を運転することになる。
なお、この時、寿命故障した室外ユニット１０を室外ユニット１に交換した時は、寿命時間の関係から室内ユニット２２も室内ユニット２に変えた時も、前述したように、図２の如く、既設の２芯の通信用及び外部電源用繋ぎ配線３ａ、３ｃを活用して運転するようになる。
【００３０】
以上説明したように、室内ユニット２の電源中継接続部が、室外ユニット１の電源回路１ｃに既設の電源用繋ぎ配線３ｂを介して接続された室外機用電源接続部２ｄと、室外ユニット以外の外部電源５の回路に既設の外部電源用繋ぎ配線３ｃを介して接続された外部用電源接続部２ｅと、この外部用電源接続部２ｅ又は室外機用電源接続部２ｄのいずれか一方と脱着自在に選択接続でき、室内ユニット２の電源回路に配線で連絡された室内電源接続部４ａとを具備し、室外ユニットからの電源の繋ぎ配線の有無に関わらず繋ぎ配線３の既設配線を活用して新しい室内ユニット２に交換できるようにしたので、空気調和機をリプレースする場合に、繋ぎ配線を新しく配設工事する必要がなくなるため、工期や工費を大幅に縮減した空気調和機の配線接続構造が得られる。
【００３１】
実施の形態２．
以下、この発明の実施の形態２について図３および図４を用いて説明する。なお、図３はこの発明の実施の形態２における室内外ユニット間を電源繋ぎ線と通信繋ぎ線で結んだ空気調和機の配線接続構造の概略構成図であり、図４はこの発明の実施の形態１における室内外ユニット間を通信繋ぎ線のみで結んだ空気調和機の配線接続構造の概略構成図である。
【００３２】
また、この実施の形態２においては、室内ユニットの電源中継接続部が、室外ユニットの電源回路に前記繋ぎ配線を介して接続される室外機用電源接続部２ｄと、室外ユニット以外の外部電源回路に前記繋ぎ配線を介して接続される外部用電源接続部２ｅと、この外部用電源接続部又は前記室外機用電源接続部のいずれか一方を脱着自在に装着して室内ユニットの電源回路に配線で連絡された室内電源接続部４ｅと、前記外部用電源接続部又は前記室外機用電源接続部のいずれか一方のその他方を脱着自在に装着するダミー接続部４ｄとからなるものであり、その他の構成は実施の形態１とほぼ同じである。
【００３３】
次に、このように構成された室内ユニットと室外ユニットとの間の既設配線を活用して空気調和機をリプレースする動作について説明する。
まず、この室内ユニット２は、前述したように構成されているので、例えば、図５のような通信配線と電源配線３本線の繋ぎ配線３で接続された既設の室内外ユニットのうち、室内ユニット２０が寿命故障して、新スペックの室内ユニット２に交換する時は、図３の如く、既設配線の本数とその太さ・形状も変わらないので、そのまま室内ユニット２に交換した後、室内ユニット２の室内側電源入力端子２ａ及び室内側通信入力端子２ｂに既設の平形３芯の通信及び電源の繋ぎ配線３ａ，３ｂからなる繋ぎ配線３を接続して空気調和機を運転することになる。
【００３４】
何故なら、この時、図３の如く、室内電源接続部４ａは室内ユニット２の室外機用電源接続部２ｄに接続され、ダミー接続部４ｄは室内側外部入力端子２ｃに接続されて製品出荷されているので、電源中継接続部の接続回路を弄くる必要がない。
また、室外ユニット１が寿命故障した時は、同じ電源回路付スペックの室外ユニット１に交換した後、室外ユニット１の室外電源出力端子１ａ及び室外側通信出力端子１ｂに既設の３芯繋ぎ配線３を接続して空気調和機を運転することになる。
【００３５】
次に、図６のような室内外ユニット間の繋ぎ線が通信配線のみからなり、室内ユニット２２の電源を室外ユニット以外の外部電源５から取っている既設の室内外ユニットのうち、室内ユニット２２が寿命故障して、新スペックの室内ユニット２に交換する時は、図４の如く、既設配線の本数とその太さ・形状は変わらず、室内ユニット２の電源接続回路のみが変わているので、室内ユニット２を交換した後、室内電源接続部４ａに接続されていた室外機用電源接続部２ｄを取外す共に、ダミー接続部４ｄに接続されていた外部用電源接続部２ｅを取外し、これらの取外した外部用電源接続部２ｅを室内電源接続部４ａに接続すると共に、室外機用電源接続部２ｄをダミー接続部４ｄに接続した後、室内ユニット２の室内側通信入力端子２ｂ及び外部電源入力端子２ｃに既設の２芯の通信用及び電源用繋ぎ配線３ａ、３ｃをそれぞれ接続して空気調和機を運転することになる。
【００３６】
また、室外ユニット１０が寿命故障した時は、同じ外部電源スペックの室外ユニット１０に交換した後、室外ユニット１０の室外側通信出力端子１ｂ及び外部電源出力端子５ｃに既設の２芯の各繋ぎ配線３ａ、３ｃを接続して空気調和機を運転することになる。
なお、この時、寿命故障した室外ユニット１０を室外ユニット１に交換した時は、寿命時間の関係から室内ユニット２２も室内ユニット２に変えも、前述したように、図４の如く、既設の２芯の通信用及び外部電源用繋ぎ配線３ａ、３ｃを活用して運転できるようになる。
【００３７】
以上説明したように、この実施の形態２においては、室内ユニットの電源中継接続部が、室外ユニットの電源回路に前記繋ぎ配線を介して接続される室外機用接続部と、室外ユニット以外の外部電源回路に前記繋ぎ配線を介して接続される外部用電源接続部と、この外部用電源接続部又は前記室外機用電源接続部のいずれか一方を脱着自在に装着して室内ユニットの電源回路に配線で連絡された室内電源接続部と、前記外部用電源接続部又は前記室外機用電源接続部のいずれか一方のその他方を脱着自在に装着するダミー接続部とからなり、室外ユニットからの電源の繋ぎ配線有無に関わらず繋ぎ配線３の既設配線を活用して新しい室内ユニット２に交換できるようにしたので、空気調和機をリプレースする場合に、繋ぎ配線を新しく配設工事する必要がなくなるため、工期や工費を大幅に縮減した空気調和機の配線接続構造が得られる。
【００３８】
また、以上説明した実施の形態１、２においては、室内電源接続部４ａの接続構造をピン状の差し込み構造にすると、室外機用電源接続部２ｄと外部用電源接続部２ｅ，或いはダミー接続部４ｄとワンタッチで差換え接続できるようになるため、配線接続の容易な空気調和機の配線接続構造が得られる。
【００３９】
また、外部用電源接続部２ｅと室外機用電源接続部２ｄをそれぞれ識別できるように互いに異なった色又は識別符号を有するようにすると、配線接続の容易な空気調和機の配線接続構造が得られる。
【００４０】
また、室内電源接続部４ａの電圧を検出する電圧検出手段７ａと、この電圧検出手段の検出結果に基づいて室内電源接続部４ａへの電圧供給有無を知らせる告知手段７と、を具備させると、配線工事誤りの有無が解るため、使い勝手の良い空気調和機の配線接続構造が得られる。
なお、この時、室内電源接続部４ａの電圧によって点灯するランプを設けても、前述の機能を有するので、そのようにしても良い。
【図面の簡単な説明】
【００４１】
【図１】この発明の実施の形態１における室内外ユニット間を電源繋ぎ線と通信繋ぎ線で結んだ空気調和機の配線接続構造の概略構成図である。
【図２】この発明の実施の形態１における室内外ユニット間を通信繋ぎ線のみで結んだ空気調和機の配線接続構造の概略構成図である。
【図３】この発明の実施の形態２における室内外ユニット間を電源繋ぎ線と通信繋ぎ線で結んだ空気調和機の配線接続構造の概略構成図である。
【図４】この発明の実施の形態２における室内外ユニット間を通信繋ぎ線のみで結んだ空気調和機の配線接続構造の概略構成図である。
【符号の説明】
【００４２】
１  室外ユニット、  １ａ  室外側電源出力端子、  １ｂ  室外側通信出力端子、  １ｃ  室外電源回路、  ２  室内ユニット、  ２ａ  室内側電源入力端子、  ２ｂ  室内側通信入力端子、  ２ｃ  室内側外部入力端子、  ２ｄ  室外機用電源接続部、  ２ｅ  外部用電源接続部、  ３  繋ぎ線、  ３ａ  通信用繋ぎ線、  ３ｂ  電源用繋ぎ線、  ３ｃ  外部電源用繋ぎ線、  ４  室内電源回路、  ４ａ  室内電源接続部、  ４ｄ  ダミー接続部、  ５  外部電源、  ５ｃ  外部電源出力端子、  ６  ファン等の各種機器、  ７  告知手段、  ７ａ  電圧検出手段、  ８  通信回路、  ８ａ  通信回路接続部。
【図１】
2005106295.tif 000003
【図２】
2005106295.tif 000004
【図３】
2005106295.tif 000005
【図４】
2005106295.tif 000006